(57)【要約】【課題】ターミナルボックスが故障した場合でも、引き続き利用者が使用することのできるテレビジョンシステムを得る。【解決手段】使用チャンネル記憶部３８には、このテレビジョン受像機３０における選局動作に関する情報として、過去にＴＢ制御部２３からＴＶ制御部３５に送信された選局信号によって選択されたチャンネルが使用チャンネル情報（以下、使用ＣＨ情報）として登録されている。ターミナルボックス２０が故障した場合、選局動作に対応するリモコン送信機４０からのＩＲ信号をＩＲ受光部３１が受信した場合に、ＩＲ受光部３１はこれを電気信号に変換する。ＴＶ制御部３５は、ここで選択されたチャンネルが使用チャンネル記憶部３８に記憶された使用ＣＨ情報に登録されていない場合には、ＴＶ制御部３５はこの選局信号に基づく操作を行わない。【選択図】図１
2009141859.tif 000002
【特許請求の範囲】
【請求項１】
ターミナルボックスとテレビジョン受像機とが接続された構成を具備し、前記ターミナルボックスと前記テレビジョン受像機との通信状態が正常である場合には、前記テレビジョン受像機は前記ターミナルボックスを介して受信した選局信号によって選局部において入力信号における選局動作を行い、該選局動作後の信号に基づいてテレビジョン受像機が出力を行うテレビジョンシステムであって、
前記テレビジョン受像機は、
前記ターミナルボックスから受信した選局信号によって過去に選局されたチャンネルを使用チャンネル情報として登録して記憶する使用チャンネル記憶部と、
前記ターミナルボックスと前記テレビジョン受像機との通信状態が正常でないと判定された場合には、前記ターミナルボックスを介さずに前記テレビジョン受像機が受信した選局信号が前記使用チャンネル情報に登録されたチャンネルを選択する選局信号である場合に、前記選局部に選局動作を行わせる信号を出力させるテレビジョン受像機制御部と、
を具備することを特徴とするテレビジョンシステム。
【請求項２】
前記入力信号には有料放送用の信号が含まれ、
前記ターミナルボックスは、課金操作が行われた場合に前記有料放送のチャンネルを選択させる選局信号を送信することを特徴とする請求項１に記載のテレビジョンシステム。
【請求項３】
前記テレビジョンシステムはホテルにおける客室に設置され、
前記使用チャンネル情報は前記客室のチェックイン前に初期化されることを特徴とする請求項１または２に記載のテレビジョンシステム。
【請求項４】
前記入力信号には、無料放送及び有料放送用の信号が含まれ、
前記使用チャンネル情報には、前記無料放送及び前記有料放送のチャンネルが登録され、前記初期化時には前記有料放送のチャンネルが削除されることを特徴とする請求項３に記載のテレビジョンシステム。
【請求項５】
ターミナルボックスを介して選局信号を受信して選局部において選局動作を行うテレビジョン受像機であって、
過去に入力された選局信号のチャンネルを使用チャンネル情報として登録して記憶する使用チャンネル記憶部と、
前記ターミナルボックスとの通信状態が正常でない場合には、前記ターミナルボックスを介さずに前記テレビジョン受像機が受信した選局信号が前記使用チャンネル情報に登録されたチャンネルを選択する信号である場合に、前記選局信号に基づいて前記選局部に選局動作を行わせる信号を出力させるテレビジョン受像機制御部と、
を具備することを特徴とするテレビジョン受像機。
【請求項６】
前記テレビジョン受像機はホテルにおける客室に設置され、
前記使用チャンネル情報は前記客室のチェックイン前に初期化されることを特徴とする請求項５に記載のテレビジョン受像機。
【請求項７】
前記テレビジョン受像機は、無料放送及び有料放送を受信し、
前記使用チャンネル情報には、前記無料放送及び前記有料放送のチャンネルが登録され、前記初期化時には前記有料放送のチャンネルが削除されることを特徴とする請求項６に記載のテレビジョン受像機。
【請求項８】
ターミナルボックスとテレビジョン受像機とが接続された構成を具備し、前記ターミナルボックスと前記テレビジョン受像機との通信状態が正常である場合には、前記ターミナルボックスを介して前記テレビジョン受像機側に送信された選局信号によって前記テレビジョン受像機内の選局部において入力信号における選局動作を行うテレビジョンシステムにおける選局方法であって、
前記ターミナルボックスと前記テレビジョン受像機との通信状態が正常であるか否かを判定する通信状態判定工程と、
前記通信状態が正常である場合には、前記ターミナルボックス選局部が選局動作を行ったチャンネルを使用チャンネル情報として登録して記憶する使用チャンネル記憶工程と、
前記通信状態が正常でない場合には、前記ターミナルボックスを介さずに前記テレビジョン受像機が選局信号を受信し、該選局信号が前記使用チャンネル情報に登録されたチャンネルを選択する選局信号である場合に限り前記選局動作を行わせる選局工程と、
を具備することを特徴とする選局方法。
【請求項９】
前記テレビジョンシステムはホテルにおける客室に設置され、
前記客室のチェックイン前に前記使用チャンネル情報を初期化する使用チャンネル情報初期化工程を具備することを特徴とする請求項８に記載の選局方法。
【請求項１０】
前記入力信号には、無料放送及び有料放送用の信号が含まれ、
前記使用チャンネル情報には、前記無料放送及び前記有料放送のチャンネルが登録され、前記使用チャンネル情報初期化工程において、前記有料放送のチャンネルを削除することを特徴とする請求項９に記載の選局方法。
【発明の詳細な説明】
【技術分野】
【０００１】
本発明は、有料放送を受信して利用者に視聴させるテレビジョンシステム及びこれに用いられるテレビジョン受像機に関する。また、このテレビジョンシステムにおける選局方法に関する。
【背景技術】
【０００２】
ホテル等においては、各部屋にテレビジョン受像機が設置されており、このテレビジョン受像機は、一般の無料テレビジョン放送（地上波、衛星波）を利用者に視聴させることができると共に、これらの放送とは異なる有料放送を視聴させることもできる。この際、利用者は、有料放送のチャンネルの選択においても、無料のテレビジョン放送のチャンネル選択と同様に、利用者がリモコン送信機等を操作することによって行うことができる。ただし、リモコン送信機には課金キーも設けられており、利用者が有料放送を選択する際には、有料チャンネルを選択し、かつ課金キーも操作することによって、初めて有料放送が視聴できる構成とされている。
【０００３】
こうした機能を実現するために、ホテルにおいて用いられるテレビジョンシステムにおいては、各部屋毎にテレビジョン受像機とターミナルボックスとが設置され、各部屋のターミナルボックスはネットワークを介してサーバに接続されている。ホテルにおいては、一般の無料テレビジョン放送及び有料放送の信号が共にサーバと各部屋のターミナルボックスを介して各部屋のテレビジョン受像機に入力され、テレビジョン受像機はこの信号から映像出力、音声出力を行う。
【０００４】
こうした構成のテレビジョンシステムの一例の構成図が図４である。このテレビジョンシステム１００はホテルに設置され、無料放送用電波（信号）及び有料放送用信号はホテルに設置されたサーバ１０１に集中的に入力され、各部屋に設置されているターミナルボックス１１０に配信される。この際、サーバ１０１によって、無料放送のチャンネルと有料放送のチャンネルとが受信周波数によって選択される構成とされる。これらの信号はターミナルボックス１１０中で選択（選局）されてから、ＲＦ信号としてテレビジョン受像機１２０中に入力される。このＲＦ信号から映像出力用と音声信号用の出力信号がそれぞれ抽出され、テレビジョン受像機１２０において出力される。
【０００５】
ここで、無料放送、有料放送の区別に関わらず、チャンネル選択が行われる場合には、利用者におけるリモコン送信機１３０の操作（チャンネル選択）によって制御信号（選局信号）が生成され、これがエンコードされた赤外線信号（ＩＲ信号）が発信される。このＩＲ信号をテレビジョン受像機１２０におけるＩＲ受光部１２１が受信する。一般家庭で使用されるテレビジョン受像機においてはこのＩＲ信号はテレビジョン受像機内でデコードされ、テレビジョン受像機内で選局動作がなされるが、このテレビジョン受像機１２０内では選局動作は行われない。このＩＲ信号はそのまま電気信号としてターミナルボックス１１０内のＩＲ信号デコーダ１１１に入力される。ＩＲ信号メモリ１１２にはＩＲ信号と制御内容との対応関係の情報（ＩＲ信号情報）が記憶されており、ＩＲ信号デコーダ１１１は、このＩＲ信号情報を参照してＩＲ信号をデコードし、制御信号（選局信号）を得る。ターミナルボックス（ＴＢ）制御部１１３はデコードされた選局信号をＴＶ制御部１２５に出力し、ＴＶ制御部１２５はこの信号に応じて、サーバ１０１から入力されたＲＦ信号に対して、ＴＶ選局部１２２において無料放送、有料放送の区別に関わらず、選局動作を行わせる。
【０００６】
ここでこうした動作を行わせる理由は、このテレビジョン受像機１２０において、一般の無料テレビジョン放送と、他では見られない有料放送とを利用者にとって同様の操作で選択させるという機能を持たせるためである。なお、この際に、このテレビジョン受像機１２０で視聴できるチャンネルの情報（ＣＨ情報）は、ＣＨリストメモリ１１４に記憶されており、ＴＢ制御部１１３はこのＣＨ情報を参照して以上の選局動作を行う。また、特に有料放送のチャンネルが選択された場合には、利用者によって課金キーが操作されたか否かもこのＣＨ情報として記憶される。この有料放送のチャンネルが選択された場合、まだ課金キーが操作されていなければ、テレビジョン受像機１２０において、このチャンネルの放送を出力させず、代わりに、課金キーを操作しなければ放送できない旨の表示を行わせる。課金キーが既に操作されていれば、この表示は行わず、この放送をそのまま出力させる。なお、課金キーが操作された旨はサーバ１０１にも出力される。
【０００７】
ＴＶ選局部１２２で選局された後の入力信号は信号切替部１２３において外部信号と切り替えて出力され、表示部１２４で出力される。表示部１２４においては、液晶ディスプレイにおいて映像信号が、スピーカにおいて音声信号が出力される。
【０００８】
なお、ＩＲ信号は実質的にこのテレビジョン受像機１２０を素通りするため、選局以外の動作、例えば、音量調整等の信号もターミナルボックス１１０において同様にデコードされ、制御信号が作成される。その後、ＴＢ制御部１１２がこの制御信号をテレビジョン受像機１２０におけるテレビジョン受像機（ＴＶ）制御部１２５に出力し、ＴＶ制御部１２５がこのテレビジョン受像機１２０における制御を行う。
【０００９】
以上の動作により、無料放送と有料放送とを特に区別することなく、利用者はこのテレビジョンシステム１００を使用することができる。この際、実際にはこのテレビジョン受像機１２０としては、コスト削減のために、一般家庭用に用いられるテレビジョン受像機とほぼ同一の仕様のものが用いられ、その設定を変更することによって上記の動作が行われる。
【００１０】
こうした特殊な構成のテレビジョンシステムにおいては、一般家庭におけるテレビジョン受像機とは異なった信頼性が要求される。例えば、特許文献１には、制御信号の伝送に関する信頼性を高めることによって低コストで信頼性を高めたホテル用のテレビジョンシステムが記載されている。
【特許文献１】特開平９−４６２７９号公報
【発明の開示】
【発明が解決しようとする課題】
【００１１】
しかしながら、こうしたホテル用のテレビジョンシステムにおいては、各部屋におけるターミナルボックスの果たす役割が大きく、これに対する負荷も極めて大きくなる。このため、このテレビジョンシステムにおいてターミナルボックスが故障した場合には、利用者は客室においてテレビジョン受像機を使うことが不可能となった。また、ターミナルボックスが故障する頻度も、テレビジョン受像機が故障する頻度よりも高くなった。
【００１２】
特に、利用者によって有料放送が一度選択され、課金キーが操作された後でターミナルボックスが故障した場合には、利用者に対して課金がされているにも関わらず、この有料放送を視聴できなくなるという事態が生じた。
【００１３】
従って、ターミナルボックスが故障した場合においても、利用者が引き続き使用を継続することのできるホテル用のテレビジョンシステムが望まれた。
【００１４】
本発明は、斯かる問題点に鑑みてなされたものであり、上記問題点を解決する発明を提供することを目的とする。
【課題を解決するための手段】
【００１５】
本発明は、上記課題を解決すべく、以下に掲げる構成とした。
本発明のテレビジョンシステムは、ターミナルボックスとテレビジョン受像機とが接続された構成を具備し、前記ターミナルボックスと前記テレビジョン受像機との通信状態が正常である場合には、前記テレビジョン受像機は前記ターミナルボックスを介して受信した選局信号によって選局部において入力信号における選局動作を行い、該選局動作後の信号に基づいてテレビジョン受像機が出力を行うテレビジョンシステムであって、前記テレビジョン受像機は、前記ターミナルボックスから受信した選局信号によって過去に選局されたチャンネルを使用チャンネル情報として登録して記憶する使用チャンネル記憶部と、前記ターミナルボックスと前記テレビジョン受像機との通信状態が正常でないと判定された場合には、前記ターミナルボックスを介さずに前記テレビジョン受像機が受信した選局信号が前記使用チャンネル情報に登録されたチャンネルを選択する選局信号である場合に、前記選局部に選局動作を行わせる信号を出力させるテレビジョン受像機制御部と、を具備することを特徴とする。
本発明のテレビジョンシステムにおいて、前記入力信号には有料放送用の信号が含まれ、前記ターミナルボックスは、課金操作が行われた場合に前記有料放送のチャンネルを選択させる選局信号を送信することを特徴とする。
本発明のテレビジョンシステムは前記テレビジョンシステムはホテルにおける客室に設置され、前記使用チャンネル情報は前記客室のチェックイン前に初期化されることを特徴とする。
本発明のテレビジョンシステムにおいて、前記入力信号には、無料放送及び有料放送用の信号が含まれ、前記使用チャンネル情報には、前記無料放送及び前記有料放送のチャンネルが登録され、前記初期化時には前記有料放送のチャンネルが削除されることを特徴とする。
本発明のテレビジョン受像機は、ターミナルボックスを介して選局信号を受信して選局部において選局動作を行うテレビジョン受像機であって、過去に入力された選局信号のチャンネルを使用チャンネル情報として登録して記憶する使用チャンネル記憶部と、前記ターミナルボックスとの通信状態が正常でない場合には、前記ターミナルボックスを介さずに前記テレビジョン受像機が受信した選局信号が前記使用チャンネル情報に登録されたチャンネルを選択する信号である場合に、前記選局信号に基づいて前記選局部に選局動作を行わせる信号を出力させるテレビジョン受像機制御部と、を具備することを特徴とする。
本発明のテレビジョン受像機はホテルにおける客室に設置され、前記使用チャンネル情報は前記客室のチェックイン前に初期化されることを特徴とする。
本発明のテレビジョン受像機は無料放送及び有料放送を受信し、前記使用チャンネル情報には、前記無料放送及び前記有料放送のチャンネルが登録され、前記初期化時には前記有料放送のチャンネルが削除されることを特徴とする。
本発明の選局方法は、ターミナルボックスとテレビジョン受像機とが接続された構成を具備し、前記ターミナルボックスと前記テレビジョン受像機との通信状態が正常である場合には、前記ターミナルボックスを介して前記テレビジョン受像機側に送信された選局信号によって前記テレビジョン受像機内の選局部において入力信号における選局動作を行うテレビジョンシステムにおける選局方法であって、前記ターミナルボックスと前記テレビジョン受像機との通信状態が正常であるか否かを判定する通信状態判定工程と、前記通信状態が正常である場合には、前記ターミナルボックス選局部が選局動作を行ったチャンネルを使用チャンネル情報として登録して記憶する使用チャンネル記憶工程と、前記通信状態が正常でない場合には、前記ターミナルボックスを介さずに前記テレビジョン受像機が選局信号を受信し、該選局信号が前記使用チャンネル情報に登録されたチャンネルを選択する選局信号である場合に限り前記選局動作を行わせる選局工程と、を具備することを特徴とする。
本発明の選局方法において、前記テレビジョンシステムはホテルにおける客室に設置され、前記客室のチェックイン前に前記使用チャンネル情報を初期化する使用チャンネル情報初期化工程を具備することを特徴とする。
本発明の選局方法において、前記入力信号には、無料放送及び有料放送用の信号が含まれ、前記使用チャンネル情報には、前記無料放送及び前記有料放送のチャンネルが登録され、前記使用チャンネル情報初期化工程において、前記有料放送のチャンネルを削除することを特徴とする。
【発明の効果】
【００１６】
本発明は以上のように構成されているので、ターミナルボックスが故障した場合でも、引き続き利用者が使用することのできるテレビジョンシステムを得ることができる。
【発明を実施するための最良の形態】
【００１７】
以下、本発明を実施するための最良の形態について説明する。以下では、本発明の実施の形態として、ホテルにおいて使用されるテレビジョンシステムについて説明する。以降の説明では、ホテルのある１室における構成について記載するが、実際には各部屋においても同様の構成をとるものとする。
【００１８】
本発明の実施の形態であるテレビジョンシステム１０の構成を示す図が図１である。
【００１９】
このテレビジョンシステム１０はホテルに設置され、一般の無料テレビジョン放送用信号及び有料放送用信号はホテルの１箇所に設置されたサーバ１１に集中的に入力され、各部屋に設置されているターミナルボックス２０に配信される。この無料放送と有料放送用の信号が含まれる入力信号が、サーバ１１に入力され、一般のテレビジョン放送（無料放送）のチャンネルと有料放送のチャンネルとが受信周波数によって選択される構成とされる。ターミナルボックス２０と接続されたテレビジョン受像機３０は、リモコン送信機４０の操作によって動作し、これらのチャンネルを選択して対応する放送を利用者に視聴させる。
【００２０】
このテレビジョンシステム１０においては、ターミナルボックス２０が正常に動作している場合と、故障した場合とでは異なった動作が行われる。まず、正常に動作している場合におけるターミナルボックス２０、テレビジョン受像機３０等における各構成要素の動作につき説明する。ここで、このテレビジョン受像機３０は、ターミナルボックス２０との間の通信状態が正常である場合には、ターミナルボックス２０が正常に動作していると判定する。
【００２１】
ここで、このテレビジョン受像機３０においては、利用者によってリモコン送信機４０が操作され、その操作内容に対応する制御信号がエンコードされた赤外線信号（ＩＲ信号）が発せられる。
【００２２】
以下ではこの制御信号が無料放送、有料放送におけるチャンネルの選択を行わせる信号（選局信号）である場合につき説明する。
【００２３】
このＩＲ信号をテレビジョン受像機３０におけるＩＲ受光部３１が受信する。このＩＲ信号はそのまま電気信号としてターミナルボックス２０内のターミナルボックス（ＴＢ）内ＩＲ信号デコーダ２１とテレビジョン受像機（ＴＶ）内ＩＲ信号デコーダ３６とに入力される。ＴＢ内ＩＲ信号メモリ２２は、ＩＲ信号と制御内容との対応関係の情報（ＩＲ信号情報）を記憶している。ＴＢ内ＩＲ信号デコーダ２１は、このＩＲ信号情報を参照して、このＩＲ信号をデコードし、制御信号（選局信号）を得る。マイクロコンピュータ等で構成されたターミナルボックス（ＴＢ）制御部２３はデコードされた選局信号をＴＶ制御部３５に送信し、これに応じてＴＶ選局部（選局部）３２が制御され、選局動作が行われる。すなわち、サーバ１１から入力されたＲＦ信号に対して、特定のチャンネルが選択される。
【００２４】
なお、この際の選局動作において、このテレビジョンシステム１０が受信できる無料放送及び有料放送のチャンネル番号と対応する周波数等の情報（ＣＨ情報）は、ターミナルボックス（ＴＢ）内ＣＨリストメモリ２４に予め記憶されており、ＴＢ制御部２３はＣＨ情報を参照して以上の選局動作を行う。また、特に有料放送のチャンネルが選択された場合には、利用者によって課金キーが操作されたか否か（課金操作が行われたか否か）もこの情報として記憶される。この有料放送のチャンネルが選択された場合、ＴＢ制御部２３はＣＨ情報を参照し、課金キーが操作されていなければ、テレビジョン受像機３０において、このチャンネルの放送を出力させず、代わりに、課金キーを操作しなければ放送できない旨の表示を行わせる。すなわち、有料放送のチャンネルが選択されても、課金操作が行われなければ、利用者はこれを視聴することができない設定とされている。課金キーが既に操作されていれば、この表示は行わず、このチャンネルの放送を出力させる。また、課金キーが操作された旨はサーバ１１にも出力され、有料放送視聴の管理が行われる。
【００２５】
また、上記の動作においては、ＩＲ信号は実質的にこのテレビジョン受像機３０を素通りするため、選局以外の動作、例えば、音量調整等の信号もターミナルボックス２０において同様にデコードされる。その後、ＴＢ制御部２２がこの制御信号をテレビジョン受像機３０におけるＴＶ制御部３５に出力し、ＴＶ制御部３５がこのテレビジョン受像機３０における動作の制御を行う。
【００２６】
以上の動作により、ターミナルボックス２０が正常に動作している場合には、無料放送と有料放送とを特に区別することなく、利用者はこのテレビジョンシステム１０を使用することができる。
【００２７】
ただし、ターミナルボックス２０が故障した際の動作のために、このテレビジョン受像機３０は、ＴＶ内ＩＲ信号デコーダ３６、ＴＶ内ＩＲ信号メモリ３７、使用チャンネル記憶部３８を具備する。ＴＶ内ＩＲ信号デコーダ３６は、ＩＲ信号をテレビジョン受像機３０内でデコードした制御信号を、マイクロコンピュータ等で構成されたＴＶ制御部３５に出力する。この際にはＴＶ内ＩＲ信号メモリ３７が参照される。ただし、ターミナルボックス２０が正常に動作している間は、ＴＶ内ＩＲ信号デコーダ３６は動作しない。
【００２８】
ＴＶ内ＩＲ信号メモリ３７においては、前記のＴＢ内ＩＲ信号メモリに記憶されたものと同一のＩＲ信号情報が記憶されている。この対応関係はこのテレビジョン受像機３０の製造段階で設定されており、この情報はこれ以降変更されない。また、電源ＯＦＦ時にもデータが消去されない構成が必要である。従って、このＩＲ信号メモリ３７はＲＯＭ（Ｒｅａｄ  Ｏｎｌｙ  Ｍｅｍｏｒｙ）で構成することができる。また、フラッシュメモリで構成することもできる。
【００２９】
使用チャンネル記憶部３８には、このテレビジョン受像機３０における選局動作に関する情報として、過去にＴＢ制御部２３からＴＶ制御部３５に送信された選局信号によって選択されたチャンネルが使用チャンネル情報（以下、使用ＣＨ情報）として登録されている。ここで、このチャンネルとしては、無料放送及び有料放送のチャンネルの全てのチャンネルのうち、過去に選択されたものが登録される。ただし、これらの情報は、ホテルにおけるこの部屋の利用客のチェックイン前には初期化されることが好ましい。使用チャンネル記憶部３８は書き替え可能なメモリで構成される必要があり、かつ電源ＯＦＦ時にもデータが消去されないことが好ましい。従って、フラッシュメモリ等の、書き替え可能な不揮発性メモリで構成されることが好ましい。
【００３０】
以上は、このテレビジョンシステム１０において、ターミナルボックス２０が正常に動作している場合の動作についての説明であったが、以下には、ターミナルボックス２０が故障した場合の動作につき説明する。
【００３１】
ターミナルボックス２０におけるＴＢ制御部２３とテレビジョン受像機３０におけるＴＶ制御部３５とは、例えば０．２ｓｅｃ毎にポーリング通信を行っている。このポーリング通信が正常に行われなくなった場合、ＴＶ制御部３５は、このターミナルボックス２０が故障したと認識し、ＴＶ内ＩＲ信号デコーダ３６を動作させる。
【００３２】
ターミナルボックス２０が故障した場合、選局動作（無料放送及び有料放送）に対応するリモコン送信機４０からのＩＲ信号をＩＲ受光部３１が受信した場合に、ＩＲ受光部３１はこれを電気信号に変換する。この電気信号はＴＶ内ＩＲ信号デコーダ３６に入力され、ＴＶ内ＩＲ信号メモリ３７が参照されて、制御信号に変換される。
【００３３】
この制御信号（選局信号）は、ＴＶ制御部３５に入力され、ここで選局されたチャンネル（無料放送、有料放送）が、使用チャンネル記憶部３８に記憶された使用ＣＨ情報の中に登録されているか否かが判定される。すなわち、ここで選択されたチャンネルが過去に視聴されたか否かが判定される。
【００３４】
ここで、ＴＶ制御部３５は、ここで選択されたチャンネルが過去に視聴されていたと判定された場合には、この選局信号に基づいてＴＶ選局部３２を制御する信号を出力する。ＴＶ選局部３２には、サーバ１１からＲＦ信号が入力されている。このＲＦ信号に対して、ＴＶ選局部３２は、この選局信号に基づいて、該当するチャンネルの周波数の信号を抽出する。その後、この信号から、映像信号と音声信号とを抽出する。
【００３５】
以降は、ターミナルボックス２０が正常に動作している場合と同様に、この映像信号と音声信号とは信号切替部３３を介して表示部３４に出力される。従って、利用者は、ターミナルボックス２０が故障した場合でも、このチャンネルの放送を視聴することができる。
【００３６】
一方、ここで選択されたチャンネルが使用チャンネル記憶部３８に記憶された使用ＣＨ情報に登録されていない場合には、ＴＶ制御部３５はこの選局信号に基づく操作を行わない。従って、ターミナルボックス２０が故障した場合に、利用者はこのチャンネルの放送を視聴することができない。
【００３７】
また、有料放送のチャンネルが選択された場合、課金操作が行わなければ、ターミナルボックス２０からこのチャンネルの選局信号が送信されることはない。従って、この課金操作が行われなければ、このチャンネルは使用ＣＨ情報に登録されることはない。従って、ターミナルボックス２０が故障した後では、課金操作が行われていた場合に限って、このチャンネルの放送を視聴することができる。
【００３８】
従って、このテレビジョン受像機３０においては、ターミナルボックス２０が故障した場合でも、この故障前に利用者が視聴したチャンネルは、無料放送、有料放送に関わらず、利用者が引き続いて視聴することができる。特に、利用者が一度課金操作を行った有料放送のチャンネルが選択された場合でも、これを引き続き視聴することができる。一方、課金操作が行われていない有料放送のチャンネルを利用者が視聴することはできないため、課金の管理も適正に行われる。
【００３９】
なお、リモコン送信機４０からの、選局動作以外の動作（例えば、音量制御や電源ＯＮ／ＯＦＦ等）に対応するＩＲ信号をＩＲ受光部３１が受信した場合、ＩＲ受光部３１はこれを電気信号に変換し、この電気信号はＴＶ内ＩＲ信号デコーダ３６に入力される。ここで、ＩＲ信号メモリ３７におけるＩＲ信号情報が参照されて、対応する制御信号に変換される。この制御信号は、ＴＶ制御部３５に入力され、ＴＶ制御部３５はこれに対応した制御を行う。すなわち、音量制御や電源ＯＮ／ＯＦＦ等の制御が行われる。
【００４０】
従って、このテレビジョン受像機３０においては、ターミナルボックス２０が故障した場合でも、この故障前に利用者が視聴したチャンネルは、無料放送、有料放送に関わらず、利用者が引き続いて視聴することができる。特に、利用者が一度課金キーを操作した有料放送のチャンネルが選択された場合でも、これを引き続き視聴することができる。
【００４１】
このテレビジョンシステム１０において用いられる選局方法について以下に説明する。まず、テレビジョン受像機３０がリモコン送信機４０からＩＲ信号を受信した以降のターミナルボックス２０の動作を示すフローチャートが図２である。
【００４２】
まず、利用者がリモコン送信機４０を操作することにより、この操作内容に対応したＩＲ信号が発せられる。これをテレビジョン受像機３０におけるＩＲ受光部３１が受信し、電気信号に変換されてＴＢ内ＩＲ信号デコーダ２１に入力される（Ｓ１）。
【００４３】
次に、ＴＢ内ＩＲ信号デコーダ２１は、ＴＢ内ＩＲ信号メモリ２２に記憶されたＩＲ信号情報を参照して、このＩＲ信号がＩＲ信号情報に登録されているか否かを判定し（Ｓ２）、登録されている場合には、このＩＲ信号をデコードし、制御信号を作成する（Ｓ３）。
【００４４】
次に、ＴＢ制御部２３は、この制御信号が選局信号であるか否かを判定する（Ｓ４）。選局信号であった場合には、更に、選局されたチャンネルがＴＢ内ＣＨリストメモリ２４に記憶されたＣＨ情報に登録されたチャンネルであるか否かを判定する（Ｓ５）。ここで、このチャンネルが登録されていた場合には、このチャンネルが有料放送のチャンネルであるか否かを判定する（Ｓ６）。
【００４５】
有料放送のチャンネルであった場合には、既に課金手続がなされているか、すなわち、課金キーが操作されているか否かを判定する（Ｓ７）。課金手続がされていない場合には、課金操作を利用者に行わせる（Ｓ８）。すなわち、ＴＢ制御部２３は、ＴＶ制御部３５に、例えば「このチャンネルは有料放送です。有料放送を視聴する場合には、課金キーを操作してください。」と表示部３４に表示させる制御信号を発する。利用者は、この表示画面を見て、このチャンネルを視聴するか否かを判断し、視聴する場合にはリモコン送信機４０における課金キーが操作される。
【００４６】
課金キーが操作された場合には、選局がなされた場合と同様に、これに対応したＩＲ信号が発信され、選局信号と同様の流れで、ＴＢ内ＩＲ信号デコーダ２１によってこのＩＲ信号がデコードされ、ＴＢ制御部２３がこれを認識する。課金操作があったと認識された場合（Ｓ９）には、課金操作があった旨がＣＨ情報に登録され、このＣＨ情報がＴＢ内ＣＨリストメモリ２４に記憶される（Ｓ１０）。
【００４７】
上記のフローにおいて、課金操作が登録された場合（Ｓ１０）、既に課金操作が行われていたと判定された場合（Ｓ７）、選局信号において選択されたチャンネルが有料放送のものでないと判定された場合（Ｓ６）には、ＴＢ制御部２３はＴＶ制御部３５にこの選局信号（制御信号）を出力する（Ｓ１１）。
【００４８】
一方、受信した制御信号が選局動作を行わせる信号ではなかった場合（Ｓ４）には、この制御信号をそのままＴＶ制御部３５に送信する（Ｓ１１）。
【００４９】
また、課金操作が行われない場合（Ｓ９）、ＩＲ信号が選局信号ではあるがチャンネルが使用ＣＨ情報に登録されていなかった場合（Ｓ５）、ＩＲ信号がＩＲ信号情報に登録されていない場合（Ｓ２）には、制御信号は送信されない。
【００５０】
ターミナルボックス２０が正常に動作している間は、上記の動作が行われる。一方、テレビジョン受像機３０における動作を示すフローチャートが図３である。ここでは、ターミナルボックス２０が正常に動作している場合と、これが故障した場合の動作が示される。
【００５１】
まず、利用者がリモコン送信機４０を操作することにより、この操作内容に対応したＩＲ信号が発せられる。これをテレビジョン受像機３０におけるＩＲ受光部３１が受信し、電気信号に変換されてＴＢ内ＩＲ信号デコーダ２１及びＴＶ内ＩＲ信号デコーダ３６に入力される（Ｓ２１）。
【００５２】
次に、ＴＶ制御部３５は、ターミナルボックス２０との通信状態が正常であるか否かを判定する（通信状態判定工程：Ｓ２２）。ＴＶ制御部３５とＴＢ制御部２３とは例えば０．２ｓｅｃ間隔でポーリング通信を行っており、この通信が正常になされていないとＴＶ制御部３５が認識した場合には、この通信状態が正常でないと判定する。すなわち、ターミナルボックス２０が故障していると認識する。
【００５３】
まず、通信状態が正常であると判定された場合（Ｓ２２）の動作について説明する。この場合には、ターミナルボックス２０は正常に動作しているため、以下に説明する動作に加えて、図２のフローチャートに従った動作がターミナルボックス２０において行われている。
【００５４】
ターミナルボックス２０から、図２のフローチャートに従って制御信号が送信され（Ｓ１２）、これを受信した場合（Ｓ２３）には、ＴＶ制御部３５は、この制御信号が選局信号であるか否かを判定する（Ｓ２４）。選局信号でなかった場合には、ＴＶ制御部３５は、この際の制御信号に応じた動作を行わせる（Ｓ２５）。
【００５５】
また、選局信号であると判定された場合（Ｓ２４）には、選局されたチャンネルが使用チャンネル記憶部３８に記憶された使用ＣＨ情報に登録されたチャンネルであるか否かを判定する（Ｓ２６）。ここで、このチャンネルが登録されていない場合には、このチャンネルを新たに使用ＣＨ情報に追加して、この使用ＣＨ情報を使用チャンネル記憶部３８に記憶させる（使用チャンネル記憶工程：Ｓ２７）。その後、この選局信号に対応する選局動作を行う（Ｓ２５）。
【００５６】
従って、受信した制御信号がＴＢ内ＩＲ信号メモリ２２に記憶されたＩＲ信号情報に登録されていれば、このテレビジョン受像機３０においては、これに応じた動作が行われる。
【００５７】
また、使用チャンネル記憶部３８に記憶された使用ＣＨ情報には、このターミナルボックス２０が正常に動作している間は、使用されたチャンネルが登録される。このチャンネルとしては、無料放送、有料放送に関わらず登録され、有料放送の場合には、課金操作が行われている場合にしかターミナルボックス２０側から選局信号が送信されないため、課金操作が行われた場合にのみ登録される。
【００５８】
次に、通信状態が正常でないと判定された場合（Ｓ２２）の動作について説明する。この場合には、ＴＶ内ＩＲ信号デコーダ３６は、ＴＶ内ＩＲ信号メモリ３７に記憶されたＩＲ信号情報を参照して、このＩＲ信号がＩＲ信号情報に登録されているか否かを判定し（Ｓ２８）、登録されている場合には、このＩＲ信号をデコードし、この信号を制御信号と設定する（Ｓ２９）。
【００５９】
以上の動作は、前記のターミナルボックス２０の動作（図２）におけるＳ２、Ｓ３と同様である。ＩＲ信号がＩＲ受光部３１で変換された電気信号がＴＶ内ＩＲ信号デコーダ３６とＴＢ内ＩＲ信号デコーダ２１の両方に出力されるために、以上の動作をターミナルボックス２０及びテレビジョン受像機３０の内部で行うことができる。
【００６０】
その後、ＴＶ制御部３５は、この制御信号が選局信号であるか否かを判定する（Ｓ３０）。選局信号であった場合には、使用チャンネル記憶部３８に記憶された使用ＣＨ情報に、この選局信号で選択されるチャンネルが登録されているか否かを判定する（Ｓ３１）。登録されていた場合には、この制御信号（選局信号）による制御を実行させる（選局工程：Ｓ２５）。また、この制御信号が選局信号でなかった場合（Ｓ３０）にも同様に、対応した制御内容を実行させる。
【００６１】
一方、この制御信号が選局信号であって、選択されるチャンネルが登録されていない場合（Ｓ３１）には、制御は実行されない。
【００６２】
上記の動作は、選局信号によって選択されるチャンネルが無料放送であるか、有料放送であるかに関わらずに行われる。特に、有料放送の場合には、その課金操作の有無の情報をテレビジョン受像機３０の側で認識する必要がないにも関わらず、ターミナルボックス２０が故障した後でも、課金操作があったチャンネルに限りその視聴を行うことができる。
【００６３】
従って、ターミナルボックス２０が故障した後でも、無料放送であるか有料放送であるかに関わらず、利用者は、故障前に視聴したチャンネルを引き続き視聴することができる。すなわち、ターミナルボックス２０が故障した場合においても、利用者が引き続きこのテレビジョンシステム１０を使用することができる。
【００６４】
なお、使用チャンネル記憶部３８に記憶される使用ＣＨ情報を、この部屋のチェックイン前に初期化する工程（使用チャンネル情報初期化工程）を行うことが好ましい。この際に、無料放送（一般テレビジョン放送）のチャンネルは予め全て登録し、有料放送のチャンネルのみを削除する設定としてもよい。この場合には、ターミナルボックス２０が故障する前に選択されたチャンネルに限らず、一般テレビジョン放送の全てのチャンネルを故障後にも視聴することができる。
【００６５】
なお、図１におけるテレビジョン受像機３０の構成要素において、ＩＲ受光部３１、ＴＶ選局部３２、信号切替部３３、表示部３４、ＴＶ制御部３５、ＴＶ内ＩＲ信号デコーダ３６、ＴＶ内ＩＲ信号メモリ３７は、一般家庭用テレビジョン受像機においても共通に用いられる。この際、ＴＶ制御部３５、ＴＶ選局部３２において、上記の動作は一般家庭用テレビジョン受像機の場合と異なるが、これは、実行されるプログラムが設定によって選択される設定とすることができる。
【００６６】
すなわち、このテレビジョン受像機３０において、一般家庭用テレビジョン受像機において用いられることのない特殊な構成要素は、使用チャンネル記憶部３８だけである。使用チャンネル記憶部３８としては、前記の通り、フラッシュメモリ等が用いられるため、高価で複雑な部品とはならない。従って、このテレビジョン受像機３０は、一般家庭用テレビジョン受像機とはその機能は異なるにも関わらず、その大部分を共通にして構成できる。従って、低コストでこれを製造することができる。
【００６７】
なお、前記の例では、ターミナルボックスとの通信においてポーリング通信に異常が発生した場合に、テレビジョン受像機３０側に選局動作を行わせる設定としたが、これに限られるものではない。他にも、この通信状態の異常を判定できる手法を任意に用いることができる。この場合、上記の構成のターミナルボックス以外と接続された場合でも、同様の効果を奏するテレビジョン受像機となる。
【００６８】
なお、上記の例では、このテレビジョンシステムがホテルに用いられる場合につき記載したが、これに限られるものではなく、ターミナルボックスとテレビジョン受像機が接続され、無料放送と有料放送とを視聴することができるテレビジョンシステムであれば、同様の効果を奏することは明らかである。
【図面の簡単な説明】
【００６９】
【図１】本発明の実施の形態となるテレビジョンシステムの構成図である。
【図２】本発明の実施の形態となるテレビジョンシステムにおけるターミナルボックスの動作を示すフローチャートである。
【図３】本発明の実施の形態となるテレビジョンシステムにおけるテレビジョン受像機の動作を示すフローチャートである。
【図４】従来ホテルで用いられていたテレビジョンシステムの構成図である。
【符号の説明】
【００７０】
１０、１００  テレビジョンシステム
１１、１０１  サーバ
２０、１１０  ターミナルボックス
２１  ターミナルボックス（ＴＢ）内ＩＲ信号デコーダ
２２  ターミナルボックス（ＴＢ）内ＩＲ信号メモリ
２３、１１３  ターミナルボックス（ＴＢ）制御部
２４  ターミナルボックス（ＴＢ）内ＣＨリストメモリ
３０、１２０  テレビジョン受像機
３１、１２１  ＩＲ受光部
３２、１２２  ＴＶ選局部（選局部）
３３、１２３  信号切替部
３４、１２４  表示部
３５、１２５  テレビジョン受像機（ＴＶ）制御部
３６  テレビジョン受像機（ＴＶ）内ＩＲ信号デコーダ
３７  テレビジョン受像機（ＴＶ）内ＩＲ信号メモリ
３８  使用チャンネル記憶部
４０、１３０  リモコン送信機
１１１  ＩＲ信号デコーダ
１１２  ＩＲ信号メモリ
１１４  ＣＨリストメモリ
【図１】
2009141859.tif 000003
【図２】
2009141859.tif 000004
【図３】
2009141859.tif 000005
【図４】
2009141859.tif 000006